(57)【要約】【課題】本発明は、鞍乗り型車両のアダプティブクルーズコントロールの実行中におけるドライバの快適性を確保することができる制御装置及び制御方法を得るものである。【解決手段】本発明に係る制御装置及び制御方法では、鞍乗り型車両を当該鞍乗り型車両から前走車までの距離、当該鞍乗り型車両の動き及びドライバの指示に応じて走行させるアダプティブクルーズコントロールの実行中に、鞍乗り型車両の車輪に制動力を生じさせている状態から鞍乗り型車両の駆動源から出力される駆動力を用いて駆動輪を駆動する状態への切り換えの際に、駆動源から出力された駆動力が駆動輪に伝達されることにより駆動輪の駆動が開始する時点において駆動輪に基準制動力が生じているように、車輪に生じる制動力が制御される。【選択図】図４
2020029115.tif 000002
【特許請求の範囲】
【請求項１】
鞍乗り型車両（１００）の走行を制御する制御装置（６０）であって、
前記鞍乗り型車両（１００）を、当該鞍乗り型車両（１００）から前走車までの距離、当該鞍乗り型車両（１００）の動き及びドライバの指示に応じて走行させるアダプティブクルーズコントロールを実行可能な制御部（６２）を備え、
前記制御部（６２）は、前記アダプティブクルーズコントロールの実行中に、前記鞍乗り型車両（１００）の車輪（３，４）に制動力を生じさせている状態から前記鞍乗り型車両（１００）の駆動源（５）から出力される駆動力を用いて駆動輪（４）を駆動する状態への切り換えの際に、前記駆動源（５）から出力された駆動力が前記駆動輪（４）に伝達されることにより前記駆動輪（４）の駆動が開始する時点において前記駆動輪（４）に基準制動力が生じているように、前記車輪（３，４）に生じる制動力を制御する、
制御装置。
【請求項２】
前記制御部（６２）は、前記基準制動力を前記鞍乗り型車両（１００）の変速機構（６）の変速比に基づいて制御する、
請求項１に記載の制御装置。
【請求項３】
前記制御部（６２）は、前記基準制動力を前記駆動源（５）から出力される駆動力に基づいて制御する、
請求項１又は２に記載の制御装置。
【請求項４】
前記制御部（６２）は、前記駆動源（５）からの駆動力の出力が開始したと判定される時点以降、前記駆動輪（４）に継続的に前記基準制動力を生じさせ、前記駆動輪（４）の駆動が開始したと判定された場合に、前記駆動輪（４）に前記基準制動力を生じさせることを停止する、
請求項１〜３のいずれか一項に記載の制御装置。
【請求項５】
前記制御部（６２）は、前記駆動源（５）からの駆動力の出力が開始する時点に応じた時点で前記駆動輪（４）に前記基準制動力を生じさせる、
請求項１〜４のいずれか一項に記載の制御装置。
【請求項６】
前記制御部（６２）は、前記駆動輪（４）の駆動が開始する時点を予測し、予測された当該時点に応じた時点で前記駆動輪（４）に前記基準制動力を生じさせる、
請求項１〜５のいずれか一項に記載の制御装置。
【請求項７】
前記制御部（６２）は、前記駆動輪（４）の駆動が開始する時点を予測し、予測された当該時点に応じた時点で前記駆動輪（４）に前記基準制動力を生じさせることを停止する、
請求項１〜６のいずれか一項に記載の制御装置。
【請求項８】
鞍乗り型車両（１００）の走行を制御する制御方法であって、
前記鞍乗り型車両（１００）を当該鞍乗り型車両（１００）から前走車までの距離、当該鞍乗り型車両（１００）の動き及びドライバの指示に応じて走行させるアダプティブクルーズコントロールの実行中に、前記鞍乗り型車両（１００）の車輪（３，４）に制動力を生じさせている状態から前記鞍乗り型車両（１００）の駆動源（５）から出力される駆動力を用いて駆動輪（４）を駆動する状態への切り換えの際に、前記駆動源（５）から出力された駆動力が前記駆動輪（４）に伝達されることにより前記駆動輪（４）の駆動が開始する時点において前記駆動輪（４）に基準制動力が生じているように、制御装置（６０）により前記車輪（３，４）に生じる制動力を制御する、
制御方法。
【発明の詳細な説明】
【技術分野】
【０００１】
この開示は、鞍乗り型車両のアダプティブクルーズコントロールの実行中におけるドライバの快適性を確保することができる制御装置及び制御方法に関する。
【背景技術】
【０００２】
従来の鞍乗り型車両に関する技術として、ドライバの運転を支援するためのものがある。
【０００３】
例えば、特許文献１では、走行方向又は実質的に走行方向にある障害物を検出するセンサ装置により検出された情報に基づいて、不適切に障害物に接近していることをモータサイクルのドライバへ警告する運転者支援システムが開示されている。
【先行技術文献】
【特許文献】
【０００４】
【特許文献１】特開２００９−１１６８８２号公報
【発明の概要】
【発明が解決しようとする課題】
【０００５】
ところで、ドライバの運転を支援するための技術として、車両を当該車両から前走車までの距離、当該車両の動き及びドライバの指示に応じて走行させるアダプティブクルーズコントロールを、モータサイクル等の鞍乗り型車両に適用することが考えられる。鞍乗り型車両のアダプティブクルーズコントロールでは、ドライバによる加減速操作によらずに自動で加減速が行われる。ここで、鞍乗り型車両の加速は、駆動源から出力される駆動力を用いて駆動輪を駆動することにより実現されるが、駆動源から出力される駆動力が駆動輪に伝達されることにより駆動輪の駆動が開始する時点において、ギヤのバックラッシュ等に起因してショックが発生する。アダプティブクルーズコントロールの実行中には、上述したように、自動で加速が行われるので、駆動輪の駆動が開始する時点において生じるショックは、ドライバの快適性を損なう要因となりやすい。
【０００６】
本発明は、上述の課題を背景としてなされたものであり、鞍乗り型車両のアダプティブクルーズコントロールの実行中におけるドライバの快適性を確保することができる制御装置及び制御方法を得るものである。
【課題を解決するための手段】
【０００７】
本発明に係る制御装置は、鞍乗り型車両の走行を制御する制御装置であって、前記鞍乗り型車両を、当該鞍乗り型車両から前走車までの距離、当該鞍乗り型車両の動き及びドライバの指示に応じて走行させるアダプティブクルーズコントロールを実行可能な制御部を備え、前記制御部は、前記アダプティブクルーズコントロールの実行中に、前記鞍乗り型車両の車輪に制動力を生じさせている状態から前記鞍乗り型車両の駆動源から出力される駆動力を用いて駆動輪を駆動する状態への切り換えの際に、前記駆動源から出力された駆動力が前記駆動輪に伝達されることにより前記駆動輪の駆動が開始する時点において前記駆動輪に基準制動力が生じているように、前記車輪に生じる制動力を制御する。
【０００８】
本発明に係る制御方法は、鞍乗り型車両の走行を制御する制御方法であって、前記鞍乗り型車両を当該鞍乗り型車両から前走車までの距離、当該鞍乗り型車両の動き及びドライバの指示に応じて走行させるアダプティブクルーズコントロールの実行中に、前記鞍乗り型車両の車輪に制動力を生じさせている状態から前記鞍乗り型車両の駆動源から出力される駆動力を用いて駆動輪を駆動する状態への切り換えの際に、前記駆動源から出力された駆動力が前記駆動輪に伝達されることにより前記駆動輪の駆動が開始する時点において前記駆動輪に基準制動力が生じているように、制御装置により前記車輪に生じる制動力を制御する。
【発明の効果】
【０００９】
本発明に係る制御装置及び制御方法では、鞍乗り型車両を当該鞍乗り型車両から前走車までの距離、当該鞍乗り型車両の動き及びドライバの指示に応じて走行させるアダプティブクルーズコントロールの実行中に、鞍乗り型車両の車輪に制動力を生じさせている状態から鞍乗り型車両の駆動源から出力される駆動力を用いて駆動輪を駆動する状態への切り換えの際に、駆動源から出力された駆動力が駆動輪に伝達されることにより駆動輪の駆動が開始する時点において駆動輪に基準制動力が生じているように、車輪に生じる制動力が制御される。それにより、駆動輪の駆動が開始する時点において駆動力の伝達により生じるショックを軽減することができる。ゆえに、鞍乗り型車両のアダプティブクルーズコントロールの実行中におけるドライバの快適性を確保することができる。
【図面の簡単な説明】
【００１０】
【図１】本発明の実施形態に係る制御装置が搭載されるモータサイクルの概略構成を示す模式図である。
【図２】本発明の実施形態に係るブレーキシステムの概略構成を示す模式図である。
【図３】本発明の実施形態に係る制御装置の機能構成の一例を示すブロック図である。
【図４】本発明の実施形態に係る制御装置が行う処理の流れの一例を示すフローチャートである。
【発明を実施するための形態】
【００１１】
以下に、本発明に係る制御装置について、図面を用いて説明する。なお、以下では、二輪のモータサイクルに用いられる制御装置について説明しているが、本発明に係る制御装置は、二輪のモータサイクル以外の鞍乗り型車両（例えば、三輪のモータサイクル、バギー車、自転車等）に用いられるものであってもよい。なお、鞍乗り型車両は、ドライバが跨って乗車する車両を意味する。また、以下では、モータサイクルの車輪を駆動するための駆動力を出力可能な駆動源としてエンジンが搭載されている場合を説明しているが、モータサイクルの駆動源としてエンジン以外の他の駆動源（例えば、モータ）が搭載されていてもよく、複数の駆動源が搭載されていてもよい。また、以下では、モータサイクルが後輪駆動車である場合を説明しているが、モータサイクルが前輪駆動車であってもよく、基準制動力をその前輪に生じさせてもよい。
【００１２】
また、以下で説明する構成及び動作等は一例であり、本発明に係る制御装置及び制御方法は、そのような構成及び動作等である場合に限定されない。
【００１３】
また、以下では、同一の又は類似する説明を適宜簡略化又は省略している。また、各図において、同一の又は類似する部材又は部分については、符号を付すことを省略しているか、又は同一の符号を付している。また、細かい構造については、適宜図示を簡略化又は省略している。
【００１４】
＜モータサイクルの構成＞
図１〜図３を参照して、本発明の実施形態に係る制御装置６０が搭載されるモータサイクル１００の構成について説明する。
【００１５】
図１は、制御装置６０が搭載されるモータサイクル１００の概略構成を示す模式図である。図２は、ブレーキシステム１０の概略構成を示す模式図である。図３は、制御装置６０の機能構成の一例を示すブロック図である。
【００１６】
モータサイクル１００は、図１に示されるように、胴体１と、胴体１に旋回自在に保持されているハンドル２と、胴体１にハンドル２と共に旋回自在に保持されている前輪３と、胴体１に回動自在に保持されている後輪４と、エンジン５と、変速機構６と、ブレーキシステム１０とを備える。本実施形態では、制御装置（ＥＣＵ）６０は、後述されるブレーキシステム１０の液圧制御ユニット５０に設けられている。さらに、モータサイクル１００は、図１及び図２に示されるように、車間距離センサ４１と、入力装置４２と、前輪回転速度センサ４３と、後輪回転速度センサ４４と、トルクセンサ４５と、クランク角センサ４６と、ギヤポジションセンサ４７と、マスタシリンダ圧センサ４８と、ホイールシリンダ圧センサ４９とを備える。
【００１７】
エンジン５は、モータサイクル１００の駆動源の一例に相当し、車輪（具体的には、駆動輪である後輪４）を駆動するための駆動力を出力可能である。例えば、エンジン５には、内部に燃焼室が形成される１又は複数の気筒と、燃焼室に向けて燃料を噴射する燃料噴射弁と、点火プラグとが設けられている。燃料噴射弁から燃料が噴射されることにより燃焼室内に空気及び燃料を含む混合気が形成され、当該混合気が点火プラグにより点火されて燃焼する。それにより、気筒内に設けられたピストンが往復運動し、クランクシャフトが回転するようになっている。また、エンジン５の吸気管には、スロットル弁が設けられており、スロットル弁の開度であるスロットル開度に応じて燃焼室への吸気量が変化するようになっている。
【００１８】
エンジン５のクランクシャフトは変速機構６の入力軸と接続されており、当該変速機構６の出力軸は後輪４と接続されている。ゆえに、エンジン５から出力される動力は、変速機構６に伝達され、変速機構６により変速されて後輪４に伝達される。詳細には、エンジン５のクランクシャフトと変速機構６の入力軸とは、動力の伝達を断接するクラッチを介して接続されており、変速機構６の変速段は、クラッチ操作が行われておりクラッチが開放されている状態において、ドライバによるシフトレバーの操作に応じて切り替えられる。
【００１９】
ブレーキシステム１０は、図１及び図２に示されるように、第１ブレーキ操作部１１と、少なくとも第１ブレーキ操作部１１に連動して前輪３を制動する前輪制動機構１２と、第２ブレーキ操作部１３と、少なくとも第２ブレーキ操作部１３に連動して後輪４を制動する後輪制動機構１４とを備える。また、ブレーキシステム１０は、液圧制御ユニット５０を備え、前輪制動機構１２の一部及び後輪制動機構１４の一部は、当該液圧制御ユニット５０に含まれる。液圧制御ユニット５０は、前輪制動機構１２によって前輪３に生じる制動力及び後輪制動機構１４によって後輪４に生じる制動力を制御する機能を担うユニットである。
【００２０】
第１ブレーキ操作部１１は、ハンドル２に設けられており、ドライバの手によって操作される。第１ブレーキ操作部１１は、例えば、ブレーキレバーである。第２ブレーキ操作部１３は、胴体１の下部に設けられており、ドライバの足によって操作される。第２ブレーキ操作部１３は、例えば、ブレーキペダルである。
【００２１】
前輪制動機構１２及び後輪制動機構１４のそれぞれは、ピストン（図示省略）を内蔵しているマスタシリンダ２１と、マスタシリンダ２１に付設されているリザーバ２２と、胴体１に保持され、ブレーキパッド（図示省略）を有しているブレーキキャリパ２３と、ブレーキキャリパ２３に設けられているホイールシリンダ２４と、マスタシリンダ２１のブレーキ液をホイールシリンダ２４に流通させる主流路２５と、ホイールシリンダ２４のブレーキ液を逃がす副流路２６と、マスタシリンダ２１のブレーキ液を副流路２６に供給する供給流路２７とを備える。
【００２２】
主流路２５には、込め弁（ＥＶ）３１が設けられている。副流路２６は、主流路２５のうちの、込め弁３１に対するホイールシリンダ２４側とマスタシリンダ２１側との間をバイパスする。副流路２６には、上流側から順に、弛め弁（ＡＶ）３２と、アキュムレータ３３と、ポンプ３４とが設けられている。主流路２５のうちの、マスタシリンダ２１側の端部と、副流路２６の下流側端部が接続される箇所との間には、第１弁（ＵＳＶ）３５が設けられている。供給流路２７は、マスタシリンダ２１と、副流路２６のうちのポンプ３４の吸込側との間を連通させる。供給流路２７には、第２弁（ＨＳＶ）３６が設けられている。
【００２３】
込め弁３１は、例えば、非通電状態で開き、通電状態で閉じる電磁弁である。弛め弁３２は、例えば、非通電状態で閉じ、通電状態で開く電磁弁である。第１弁３５は、例えば、非通電状態で開き、通電状態で閉じる電磁弁である。第２弁３６は、例えば、非通電状態で閉じ、通電状態で開く電磁弁である。
【００２４】
液圧制御ユニット５０は、込め弁３１、弛め弁３２、アキュムレータ３３、ポンプ３４、第１弁３５及び第２弁３６を含むブレーキ液圧を制御するためのコンポーネントと、それらのコンポーネントが設けられ、主流路２５、副流路２６及び供給流路２７を構成するための流路が内部に形成されている基体５１と、制御装置６０とを含む。
【００２５】
なお、基体５１は、１つの部材によって形成されていてもよく、複数の部材によって形成されていてもよい。また、基体５１が複数の部材によって形成されている場合、各コンポーネントは、異なる部材に分かれて設けられていてもよい。
【００２６】
液圧制御ユニット５０の上記のコンポーネントの動作は、制御装置６０によって制御される。それにより、前輪制動機構１２によって前輪３に生じる制動力及び後輪制動機構１４によって後輪４に生じる制動力が制御される。
【００２７】
例えば、通常時（つまり、後述されるアダプティブクルーズコントロール及びアンチロックブレーキ制御のいずれも実行されていない時）には、制御装置６０によって、込め弁３１が開放され、弛め弁３２が閉鎖され、第１弁３５が開放され、第２弁３６が閉鎖される。その状態で、第１ブレーキ操作部１１が操作されると、前輪制動機構１２において、マスタシリンダ２１のピストン（図示省略）が押し込まれてホイールシリンダ２４のブレーキ液の液圧が増加し、ブレーキキャリパ２３のブレーキパッド（図示省略）が前輪３のロータ３ａに押し付けられて、前輪３に制動力が生じる。また、第２ブレーキ操作部１３が操作されると、後輪制動機構１４において、マスタシリンダ２１のピストン（図示省略）が押し込まれてホイールシリンダ２４のブレーキ液の液圧が増加し、ブレーキキャリパ２３のブレーキパッド（図示省略）が後輪４のロータ４ａに押し付けられて、後輪４に制動力が生じる。
【００２８】
車間距離センサ４１は、モータサイクル１００から前走車までの距離を検出する。車間距離センサ４１が、モータサイクル１００から前走車までの距離に実質的に換算可能な他の物理量を検出するものであってもよい。ここで、前走車は、モータサイクル１００より前方に位置する車両を意味し、モータサイクル１００の走行車線と同一の車線上でモータサイクル１００から最も近い車両のみならず、モータサイクル１００から複数台前の車両又はモータサイクル１００の走行車線に隣接する車線上を走行する車両等を含んでもよい。例えば、モータサイクル１００より前方に複数の車両が存在する場合、車間距離センサ４１は、モータサイクル１００の走行軌跡として推定される軌跡及び当該複数の車両の挙動に基づいて、モータサイクル１００からの距離の検出の対象となる前走車を選択する。この場合、モータサイクル１００からこのように選択された前走車までの距離の検出結果を用いて、後述されるアダプティブクルーズコントロールが実行される。
【００２９】
車間距離センサ４１としては、例えば、モータサイクル１００の前方を撮像するカメラ及びモータサイクル１００から前方の対象物までの距離を検出可能なレーダーが用いられる。その場合、例えば、カメラにより撮像される画像を用いて前走車を認識し、前走車の認識結果及びレーダーの検出結果を利用することによって、モータサイクル１００から前走車までの距離を検出することができる。車間距離センサ４１は、例えば、胴体１の前部に設けられている。なお、車間距離センサ４１の構成は上記の例に限定されず、例えば、車間距離センサ４１としてステレオカメラが用いられてもよい。
【００３０】
入力装置４２は、ドライバによる走行モードの選択操作を受け付け、ドライバにより選択されている走行モードを示す情報を出力する。ここで、モータサイクル１００では、後述されるように、制御装置６０によってアダプティブクルーズコントロールを実行可能となっている。アダプティブクルーズコントロールは、モータサイクル１００を当該モータサイクル１００から前走車までの距離、当該モータサイクル１００の動き及びドライバの指示に応じて走行させる制御である。ドライバは、入力装置４２を用いて、走行モードとして、アダプティブクルーズコントロールが実行される走行モードを選択することができる。入力装置４２としては、例えば、レバー、ボタン又はタッチパネル等が用いられる。入力装置４２は、例えば、ハンドル２に設けられている。
【００３１】
前輪回転速度センサ４３は、前輪３の回転速度を検出し、検出結果を出力する。前輪回転速度センサ４３が、前輪３の回転速度に実質的に換算可能な他の物理量を検出するものであってもよい。前輪回転速度センサ４３は、前輪３に設けられている。
【００３２】
後輪回転速度センサ４４は、後輪４の回転速度を検出し、検出結果を出力する。後輪回転速度センサ４４が、後輪４の回転速度に実質的に換算可能な他の物理量を検出するものであってもよい。後輪回転速度センサ４４は、後輪４に設けられている。
【００３３】
トルクセンサ４５は、後輪４に作用するトルクを検出し、検出結果を出力する。トルクセンサ４５が、後輪４に作用するトルクに実質的に換算可能な他の物理量を検出するものであってもよい。トルクセンサ４５は、後輪４に設けられている。
【００３４】
クランク角センサ４６は、エンジン５のクランク角を検出し、検出結果を出力する。クランク角センサ４６が、エンジン５のクランク角に実質的に換算可能な他の物理量を検出するものであってもよい。クランク角センサ４６は、エンジン５に設けられている。
【００３５】
ギヤポジションセンサ４７は、変速機構６の変速段がいずれの変速段になっているかを検出し、検出結果を出力する。ギヤポジションセンサ４７は、変速機構６に設けられている。
【００３６】
マスタシリンダ圧センサ４８は、マスタシリンダ２１のブレーキ液の液圧を検出し、検出結果を出力する。マスタシリンダ圧センサ４８が、マスタシリンダ２１のブレーキ液の液圧に実質的に換算可能な他の物理量を検出するものであってもよい。マスタシリンダ圧センサ４８は、前輪制動機構１２及び後輪制動機構１４のそれぞれに設けられている。
【００３７】
ホイールシリンダ圧センサ４９は、ホイールシリンダ２４のブレーキ液の液圧を検出し、検出結果を出力する。ホイールシリンダ圧センサ４９が、ホイールシリンダ２４のブレーキ液の液圧に実質的に換算可能な他の物理量を検出するものであってもよい。ホイールシリンダ圧センサ４９は、前輪制動機構１２及び後輪制動機構１４のそれぞれに設けられている。
【００３８】
制御装置６０は、モータサイクル１００の走行を制御する。
【００３９】
例えば、制御装置６０の一部又は全ては、マイコン、マイクロプロセッサユニット等で構成されている。また、例えば、制御装置６０の一部又は全ては、ファームウェア等の更新可能なもので構成されてもよく、ＣＰＵ等からの指令によって実行されるプログラムモジュール等であってもよい。制御装置６０は、例えば、１つであってもよく、また、複数に分かれていてもよい。
【００４０】
制御装置６０は、図３に示されるように、例えば、取得部６１と、制御部６２とを備える。
【００４１】
取得部６１は、モータサイクル１００に搭載されている各装置から出力される情報を取得し、制御部６２へ出力する。例えば、取得部６１は、車間距離センサ４１、入力装置４２、前輪回転速度センサ４３、後輪回転速度センサ４４、トルクセンサ４５、クランク角センサ４６、ギヤポジションセンサ４７、マスタシリンダ圧センサ４８及びホイールシリンダ圧センサ４９から出力される情報を取得する。
【００４２】
制御部６２は、モータサイクル１００に搭載されている各装置の動作を制御することによって、モータサイクル１００に付与される駆動力及び制動力を制御する。
【００４３】
ここで、制御部６２は、モータサイクル１００に搭載されている各装置の動作を制御することによって、モータサイクル１００を当該モータサイクル１００から前走車までの距離、当該モータサイクル１００の動き及びドライバの指示に応じて走行させるアダプティブクルーズコントロールを実行可能である。具体的には、制御部６２は、アダプティブクルーズコントロールが実行される走行モードがドライバによって選択されている場合に、アダプティブクルーズコントロールを実行する。なお、制御部６２は、アダプティブクルーズコントロールの実行中に、ドライバによりアクセル操作又はブレーキ操作が行われた場合、アダプティブクルーズコントロールを解除する。
【００４４】
アダプティブクルーズコントロールでは、モータサイクル１００から前走車までの距離が基準距離に近づくように制御される。基準距離は、モータサイクル１００から前走車までの距離としてドライバの安全性を確保し得る値に設定される。なお、前走車が認識されない場合には、モータサイクル１００の速度が予め設定された設定速度になるように制御される。また、アダプティブクルーズコントロールでは、モータサイクル１００の加速度及び減速度が、ドライバの快適性を損なわない程度の上限値以下に制限される。
【００４５】
具体的には、アダプティブクルーズコントロールの実行中に、制御部６２は、モータサイクル１００から前走車までの距離と基準距離との比較結果及びモータサイクル１００と前走車との相対速度に基づいて加速度の目標値（以下、目標加速度と呼ぶ）又は減速度の目標値（以下、目標減速度と呼ぶ）を算出し、算出結果に基づいてモータサイクル１００に付与される駆動力及び制動力を制御する。
【００４６】
例えば、モータサイクル１００から前走車までの距離が基準距離より長い場合、制御部６２は、モータサイクル１００から前走車までの距離と基準距離との差に応じた目標加速度を算出する。一方、モータサイクル１００から前走車までの距離が基準距離より短い場合、制御部６２は、モータサイクル１００から前走車までの距離と基準距離との差に応じた目標減速度を算出する。
【００４７】
制御部６２は、例えば、駆動制御部６２ａと、制動制御部６２ｂとを含む。
【００４８】
駆動制御部６２ａは、アダプティブクルーズコントロールの実行中に、駆動輪である後輪４に伝達される駆動力を制御する。具体的には、駆動制御部６２ａは、アダプティブクルーズコントロールの実行中に、エンジン５の各装置（スロットル弁、燃料噴射弁及び点火プラグ等）の動作を制御するための信号を出力するエンジン制御装置（図示省略）に指令を出力することによって、エンジン５の動作を制御する。それにより、アダプティブクルーズコントロールの実行中に、エンジン５から出力され後輪４に伝達される駆動力が制御される。
【００４９】
通常時には、エンジン５の動作は、エンジン制御装置によって、ドライバのアクセル操作に応じて後輪４に駆動力が伝達されるように制御される。
【００５０】
一方、アダプティブクルーズコントロールの実行中には、駆動制御部６２ａは、ドライバのアクセル操作によらずに後輪４に駆動力が伝達されるように、エンジン５の動作を制御する。具体的には、駆動制御部６２ａは、アダプティブクルーズコントロールの実行中に、モータサイクル１００の加速度がモータサイクル１００から前走車までの距離及びモータサイクル１００と前走車との相対速度に基づいて算出される目標加速度となるように、エンジン５の動作を制御し、後輪４に伝達される駆動力を制御する。
【００５１】
制動制御部６２ｂは、ブレーキシステム１０の液圧制御ユニット５０の各コンポーネントの動作を制御することによって、モータサイクル１００の車輪に生じる制動力を制御する。
【００５２】
通常時には、制動制御部６２ｂは、上述したように、ドライバのブレーキ操作に応じて車輪に制動力が生じるように、液圧制御ユニット５０の各コンポーネントの動作を制御する。
【００５３】
一方、アダプティブクルーズコントロールの実行中には、制動制御部６２ｂは、ドライバのブレーキ操作によらずに車輪に制動力が生じるように、各コンポーネントの動作が制御される。具体的には、制動制御部６２ｂは、アダプティブクルーズコントロールの実行中に、モータサイクル１００の減速度がモータサイクル１００から前走車までの距離及びモータサイクル１００と前走車との相対速度に基づいて算出される目標減速度となるように、液圧制御ユニット５０の各コンポーネントの動作を制御し、車輪に生じる制動力を制御する。
【００５４】
例えば、アダプティブクルーズコントロールの実行中には、制動制御部６２ｂは、込め弁３１が開放され、弛め弁３２が閉鎖され、第１弁３５が閉鎖され、第２弁３６が開放された状態にし、その状態で、ポンプ３４を駆動することにより、ホイールシリンダ２４のブレーキ液の液圧を増加させて車輪に制動力を生じさせる。また、制動制御部６２ｂは、例えば、第１弁３５の開度を制御することによりホイールシリンダ２４のブレーキ液の液圧を調整することによって、車輪に生じる制動力を制御することができる。
【００５５】
ここで、制動制御部６２ｂは、アダプティブクルーズコントロールの実行中に、前輪制動機構１２及び後輪制動機構１４の各々の動作を個別に制御することによって、前輪制動機構１２及び後輪制動機構１４のホイールシリンダ２４のブレーキ液の液圧を個別に制御し、前後輪の制動力配分（つまり、前輪３に生じる制動力と後輪４に生じる制動力の配分）を制御することができる。具体的には、制動制御部６２ｂは、各車輪に生じる制動力の目標値の合計値が目標減速度に応じた要求制動力（つまり、アダプティブクルーズコントロールの実行中における制動時に要求される制動力）になるように、前後輪の制動力配分を制御する。要求制動力は、具体的には、モータサイクル１００の減速度をモータサイクル１００から前走車までの距離及びモータサイクル１００と前走車との相対速度に基づいて算出される目標減速度にするために必要な制動力である。
【００５６】
なお、制動制御部６２ｂは、車輪にロック又はロックの可能性が生じた場合に、アンチロックブレーキ制御を行ってもよい。アンチロックブレーキ制御は、ロック又はロックの可能性が生じた車輪の制動力を、ロックを回避し得るような制動力に調整する制御である。
【００５７】
例えば、アンチロックブレーキ制御の実行中には、制動制御部６２ｂは、込め弁３１が閉鎖され、弛め弁３２が開放され、第１弁３５が開放され、第２弁３６が閉鎖された状態にし、その状態で、ポンプ３４を駆動することにより、ホイールシリンダ２４のブレーキ液の液圧を減少させて車輪に生じる制動力を減少させる。また、制動制御部６２ｂは、例えば、上記の状態から込め弁３１及び弛め弁３２の双方を閉鎖することにより、ホイールシリンダ２４のブレーキ液の液圧を保持し車輪に生じる制動力を保持することができる。また、制動制御部６２ｂは、例えば、上記の状態から込め弁３１を開放し、弛め弁３２を閉鎖することにより、ホイールシリンダ２４のブレーキ液の液圧を増大させて車輪に生じる制動力を増大させることができる。
【００５８】
上記のように、制御装置６０では、制御部６２は、アダプティブクルーズコントロールを実行可能である。ここで、制御部６２は、アダプティブクルーズコントロールの実行中に、モータサイクル１００の車輪に制動力を生じさせている状態（以下、減速状態とも呼ぶ。）からモータサイクル１００のエンジン５から出力される駆動力を用いて後輪４を駆動する状態（以下、加速状態とも呼ぶ。）への切り換えの際に、エンジン５から出力された駆動力が後輪４に伝達されることにより後輪４の駆動が開始する時点において後輪４に基準制動力が生じているように、車輪に生じる制動力を制御する。それにより、モータサイクル１００のアダプティブクルーズコントロールの実行中におけるドライバの快適性を確保することが実現される。このような制御装置６０が行うアダプティブクルーズコントロールの実行中における減速状態から加速状態への切り替えに関する処理については、後述にて詳細に説明する。
【００５９】
なお、上記の減速状態は、ブレーキシステム１０の液圧制御ユニット５０の各コンポーネントの動作を制御することによって車輪に制動力を生じさせている状態の他に、エンジンブレーキの作用によって車輪に制動力を生じさせている状態を含んでもよい。
【００６０】
なお、上記では、駆動制御部６２ａがエンジン制御装置を介してエンジン５の動作を制御する例を説明したが、駆動制御部６２ａがエンジン５の各装置の動作を制御するための信号を出力し、エンジン５の各装置の動作を直接的に制御してもよい。その場合、通常時におけるエンジン５の動作についても、アダプティブクルーズコントロールの実行中におけるエンジン５の動作と同様に、駆動制御部６２ａによって制御される。
【００６１】
＜制御装置の動作＞
図４を参照して、本発明の実施形態に係る制御装置６０の動作について説明する。
【００６２】
図４は、制御装置６０が行う処理の流れの一例を示すフローチャートである。具体的には、図４に示される制御フローは、制御装置６０の制御部６２により行われるアダプティブクルーズコントロールの実行中における減速状態から加速状態への切り替えに関する処理の流れに相当し、アダプティブクルーズコントロールの実行中に繰り返し行われる。また、図４におけるステップＳ５１０及びステップＳ５９０は、図４に示される制御フローの開始及び終了にそれぞれ対応する。
【００６３】
図４に示される制御フローが開始されると、ステップＳ５１１において、制御部６２は、モータサイクル１００の車輪の制動が行われているか否かを判定する。モータサイクル１００の車輪の制動が行われていると判定された場合（ステップＳ５１１／ＹＥＳ）、ステップＳ５１３に進む。一方、モータサイクル１００の車輪の制動が行われていないと判定された場合（ステップＳ５１１／ＮＯ）、ステップＳ５１１の判定処理が繰り返される。
【００６４】
ステップＳ５１１でＹＥＳと判定された場合、ステップＳ５１３において、制御部６２は、エンジン５からの駆動力の出力が開始したか否かを判定する。エンジン５からの駆動力の出力が開始したと判定された場合（ステップＳ５１３／ＹＥＳ）、ステップＳ５１５に進む。一方、エンジン５からの駆動力の出力が開始していないと判定された場合（ステップＳ５１３／ＮＯ）、ステップＳ５１１の判定処理に戻る。
【００６５】
例えば、制御部６２は、モータサイクル１００の加速を開始する要求が生じ、エンジン５に駆動力の出力を開始させるための指令をエンジン制御装置に対して出力した場合に、エンジン５からの駆動力の出力が開始したと判定する。なお、制御部６２は、上記と異なる他の方法によりエンジン５からの駆動力の出力が開始したか否かを判定してもよい。例えば、制御部６２は、エンジン回転数又は燃料噴射量等のパラメータの時間変化に基づいてエンジン５からの駆動力の出力が開始したか否かを判定してもよい。
【００６６】
ステップＳ５１３でＹＥＳと判定された場合、ステップＳ５１５において、制動制御部６２ｂは、ブレーキシステム１０に後輪４への基準制動力の付与を開始させる。基準制動力は、例えば、後輪４の駆動が開始する時点において生じるショックを軽減しつつ、モータサイクル１００の加速性能を所望の性能に維持できる程度の制動力に設定される。なお、ステップＳ５１５では、制動制御部６２ｂは、具体的には、前輪３への制動力の付与を停止させた上で後輪４への基準制動力の付与を開始させるが、例えば、エンジン５からの駆動力の出力が開始したと判定される時点以降において前輪３に一時的に制動力が生じてもよい。
【００６７】
上記のように、制動制御部６２ｂは、エンジン５からの駆動力の出力が開始したと判定される時点以降、後輪４に継続的に基準制動力を生じさせる。後輪４に基準制動力が生じている状態は、後述されるように、エンジン５から出力された駆動力が後輪４に伝達されることにより後輪４の駆動が開始する時点まで継続する。ゆえに、後輪４の駆動が開始する時点において、後輪４には基準制動力が生じている。
【００６８】
エンジン５から出力された駆動力は、具体的には、変速機構６を含む動力伝達系を介して後輪４に伝達される。後輪４の駆動を開始する際の駆動力の伝達では、例えば、動力伝達系におけるギヤのバックラッシュ等に起因してショックが発生する。ここで、制御装置６０によれば、上述したように、後輪４の駆動が開始する時点において、後輪４には基準制動力が生じている。それにより、後輪４の駆動が開始する時点において駆動力の伝達により生じるショックを軽減することができる。
【００６９】
制動制御部６２ｂは、上記の基準制動力を、後輪４の駆動が開始する時点において生じるショックを軽減する観点から適切に設定することが好ましい。
【００７０】
例えば、制動制御部６２ｂは、後輪４の駆動が開始する時点において生じるショックをより適切に軽減する観点では、基準制動力を変速機構６の変速比に応じた大きさに制御することが好ましい。
【００７１】
また、例えば、制動制御部６２ｂは、後輪４の駆動が開始する時点において生じるショックをより適切に軽減する観点では、基準制動力をエンジン５から出力される駆動力に応じた大きさに制御することが好ましい。
【００７２】
なお、制動制御部６２ｂは、基準制動力を複数のパラメータ（例えば、変速機構６の変速比及びエンジン５から出力される駆動力の双方）に基づいて制御してもよい。
【００７３】
次に、ステップＳ５１７において、制御部６２は、エンジン５から出力された駆動力が後輪４に伝達されることにより後輪４の駆動が開始したか否かを判定する。後輪４の駆動が開始したと判定された場合（ステップＳ５１７／ＹＥＳ）、ステップＳ５１９に進む。一方、後輪４の駆動が開始していないと判定された場合（ステップＳ５１７／ＮＯ）、ステップＳ５１７の判定処理が繰り返される。
【００７４】
例えば、制御部６２は、後輪４に作用するトルクが立ち上がり始めた場合に、後輪４の駆動が開始したと判定する。このような判定は、トルクセンサ４５による検出結果を利用することによって、実現され得る。
【００７５】
また、例えば、制御部６２は、後輪４の回転加速度が立ち上がり始めた場合に、後輪４の駆動が開始したと判定する。このような判定は、後輪回転速度センサ４４による検出結果を利用することによって、実現され得る。
【００７６】
ステップＳ５１７でＹＥＳと判定された場合、ステップＳ５１９において、制動制御部６２ｂは、ブレーキシステム１０に後輪４への基準制動力の付与を停止させる。
【００７７】
上記のように、制動制御部６２ｂは、後輪４の駆動が開始したと判定された場合に、後輪４に基準制動力を生じさせることを停止する。
【００７８】
次に、図４に示される制御フローは終了する。
【００７９】
上記のように、図４に示される制御フローでは、制御部６２は、アダプティブクルーズコントロールの実行中に、減速状態から加速状態への切り換えの際に、エンジン５から出力された駆動力が後輪４に伝達されることにより後輪４の駆動が開始する時点において後輪４に基準制動力が生じているように、車輪に生じる制動力を制御する。
【００８０】
なお、上記では、エンジン５からの駆動力の出力が開始したと判定される時点で後輪４に基準制動力を生じさせる例を説明したが、後輪４に基準制動力を生じさせる時点（つまり、後輪４への基準制動力の付与を開始する時点）は、上記の例に限定されない。
【００８１】
具体的には、制動制御部６２ｂは、エンジン５からの駆動力の出力が開始する時点に応じた時点で後輪４に基準制動力を生じさせてもよい。例えば、制動制御部６２ｂは、エンジン５からの駆動力の出力が開始する時点より第１基準時間だけ後の時点で後輪４に基準制動力を生じさせてもよい。第１基準時間は、例えば、エンジン５からの駆動力の出力が開始する時点から後輪４の駆動が開始する時点までの時間として想定される平均的な時間より短い時間に設定される。
【００８２】
なお、エンジン５からの駆動力の出力が開始する時点としては、例えば、エンジン５からの駆動力の出力が開始したと判定される時点が用いられてもよく、各装置の間の通信の遅延又はエンジン５の各装置の応答性等に応じた時間を当該時点に付加することにより得られる時点が用いられてもよい。
【００８３】
また、制動制御部６２ｂは、後輪４の駆動が開始する時点を予測し、予測された当該時点に応じた時点で後輪４に基準制動力を生じさせてもよい。例えば、制動制御部６２ｂは、後輪４の駆動が開始する時点として予測された時点より第２基準時間だけ前の時点で後輪４に基準制動力を生じさせてもよい。第２基準時間は、例えば、後輪４の駆動が開始する時点において、後輪４に基準制動力を生じさせることの確実性を維持し得る時間に設定される。
【００８４】
なお、制動制御部６２ｂは、例えば、エンジン５のクランク角に基づいて、後輪４の駆動が開始するまでにかかる時間を予測することによって、後輪４の駆動が開始する時点を予測することができる。このような予測は、クランク角センサ４６による検出結果を利用することによって、実現され得る。
【００８５】
また、上記では、後輪４の駆動が開始したと判定された場合に、後輪４に基準制動力を生じさせることを停止する例を説明したが、後輪４に基準制動力を生じさせることを停止する時点（つまり、後輪４への基準制動力の付与を停止する時点）は、上記の例に限定されない。
【００８６】
具体的には、制動制御部６２ｂは、後輪４の駆動が開始する時点を予測し、予測された当該時点に応じた時点で後輪４に基準制動力を生じさせることを停止してもよい。例えば、制動制御部６２ｂは、後輪４の駆動が開始する時点として予測された時点より第３基準時間だけ後の時点で後輪４に基準制動力を生じさせることを停止してもよい。第３基準時間は、例えば、後輪４の駆動が開始する時点を過ぎた後において、後輪４に基準制動力が生じている状態を迅速に解除し得る時間に設定される。
【００８７】
＜制御装置の効果＞
本発明の実施形態に係る制御装置６０の効果について説明する。
【００８８】
制御装置６０では、制御部６２は、アダプティブクルーズコントロールの実行中に、モータサイクル１００の車輪に制動力を生じさせている状態からモータサイクル１００の駆動源であるエンジン５から出力される駆動力を用いて駆動輪である後輪４を駆動する状態への切り換えの際に、エンジン５から出力された駆動力が後輪４に伝達されることにより後輪４の駆動が開始する時点において後輪４に基準制動力が生じているように、車輪に生じる制動力を制御する。それにより、後輪４の駆動が開始する時点において駆動力の伝達により生じるショックを軽減することができる。ゆえに、モータサイクル１００のアダプティブクルーズコントロールの実行中におけるドライバの快適性を確保することができる。
【００８９】
好ましくは、制御装置６０では、制御部６２は、基準制動力をモータサイクル１００の変速機構６の変速比に基づいて制御する。ここで、後輪４の駆動が開始する時点において後輪４に伝達される駆動力の大きさは、変速機構６の変速比に応じて変化する。具体的には、エンジン５から出力される駆動力が一定である場合、変速比が大きいほど駆動力は大きくなる。ゆえに、基準制動力をモータサイクル１００の変速機構６の変速比に基づいて制御することによって、後輪４の駆動が開始する時点において後輪４に伝達される駆動力の大きさに応じて適切に基準制動力を制御することができる。よって、後輪４の駆動が開始する時点において生じるショックをより適切に軽減することができる。
【００９０】
好ましくは、制御装置６０では、制御部６２は、基準制動力をエンジン５から出力される駆動力に基づいて制御する。ここで、後輪４の駆動が開始する時点において後輪４に伝達される駆動力の大きさは、エンジン５から出力される駆動力に応じて変化する。ゆえに、基準制動力をエンジン５から出力される駆動力に基づいて制御することによって、後輪４の駆動が開始する時点において後輪４に伝達される駆動力の大きさに応じて適切に基準制動力を制御することができる。よって、後輪４の駆動が開始する時点において生じるショックをより適切に軽減することができる。
【００９１】
好ましくは、制御装置６０では、制御部６２は、エンジン５からの駆動力の出力が開始したと判定される時点以降、後輪４に継続的に基準制動力を生じさせ、後輪４の駆動が開始したと判定された場合に、後輪４に基準制動力を生じさせることを停止する。それにより、後輪４の駆動が開始する時点において、後輪４に基準制動力が生じていることの確実性を向上させることができる。ゆえに、後輪４の駆動が開始する時点において駆動力の伝達により生じるショックをより適切に軽減することができる。
【００９２】
好ましくは、制御装置６０では、制御部６２は、エンジン５からの駆動力の出力が開始する時点に応じた時点で後輪４に基準制動力を生じさせる。それにより、後輪４の駆動が開始する時点において後輪４に基準制動力が生じていることの確実性を適切に維持しつつ、後輪４の駆動が開始する時点より前において基準制動力が生じることによりモータサイクル１００の加速性能が低下することを抑制することができる。ゆえに、後輪４の駆動が開始する時点において駆動力の伝達により生じるショックを軽減しつつ、モータサイクル１００の加速性能を適切に確保することができる。
【００９３】
好ましくは、制御装置６０では、制御部６２は、後輪４の駆動が開始する時点を予測し、予測された当該時点に応じた時点で後輪４に基準制動力を生じさせる。それにより、後輪４の駆動が開始する時点において後輪４に基準制動力が生じていることの確実性を適切に維持しつつ、後輪４の駆動が開始する時点より前において基準制動力が生じることによりモータサイクル１００の加速性能が低下することを抑制することができる。ゆえに、後輪４の駆動が開始する時点において駆動力の伝達により生じるショックを軽減しつつ、モータサイクル１００の加速性能を適切に確保することができる。
【００９４】
好ましくは、制御装置６０では、制御部６２は、後輪４の駆動が開始する時点を予測し、予測された当該時点に応じた時点で後輪４に基準制動力を生じさせることを停止する。それにより、後輪４の駆動が開始する時点を過ぎた後において後輪４に基準制動力が生じている状態を迅速に解除することができる。ゆえに、モータサイクル１００の加速性能をより適切に確保することができる。
【００９５】
本発明は各実施の形態の説明に限定されない。例えば、各実施の形態の全て又は一部が組み合わされてもよく、また、各実施の形態の一部のみが実施されてもよい。
【符号の説明】
【００９６】
１  胴体、２  ハンドル、３  前輪、３ａ  ロータ、４  後輪、４ａ  ロータ、５  エンジン、６  変速機構、１０  ブレーキシステム、１１  第１ブレーキ操作部、１２  前輪制動機構、１３  第２ブレーキ操作部、１４  後輪制動機構、２１  マスタシリンダ、２２  リザーバ、２３  ブレーキキャリパ、２４  ホイールシリンダ、２５  主流路、２６  副流路、２７  供給流路、３１  込め弁、３２  弛め弁、３３  アキュムレータ、３４  ポンプ、３５  第１弁、３６  第２弁、４１  車間距離センサ、４２  入力装置、４３  前輪回転速度センサ、４４  後輪回転速度センサ、４５  トルクセンサ、４６  クランク角センサ、４７  ギヤポジションセンサ、４８  マスタシリンダ圧センサ、４９  ホイールシリンダ圧センサ、５０  液圧制御ユニット、５１  基体、６０  制御装置、６１  取得部、６２  制御部、６２ａ  駆動制御部、６２ｂ  制動制御部、１００  モータサイクル。
【図１】
2020029115.tif 000003
【図２】
2020029115.tif 000004
【図３】
2020029115.tif 000005
【図４】
2020029115.tif 000006